(57)【要約】【課題】短縮状態における長さをより短くすることが可能なレンズ鏡筒を提供する。【解決手段】本発明のレンズ鏡筒２は、内面にカム溝が設けられ、回転操作可能なカム筒５と、カム溝に係合するカムフォロアを有し、カム筒５の回転によって、直進する直進群９と、を備え、直進群９は、カム筒５に対して直進する第１直進筒１１と、第１直進筒１１の外径側に配置され、第１直進筒１１に対して回転可能な回転筒１２と、第１直進筒１１と回転筒１２との間に配置され、回転筒１２の回転によって、回転筒１２及び第１直進筒１１に対して直進するレンズ保持筒１３と、第１直進筒１１の外径側及び回転筒１２の内径側に設けられ、回転筒１２の第１直進筒１１に対する回転を検出する回転検出部１４，１５と、直進群９の外径側に配置され、回転検出部１４，１５を覆うカバー筒１６と、を備えたこと、を特徴とする。【選択図】図１
2015072420.tif 000002
【特許請求の範囲】
【請求項１】
内面にカム溝が設けられ、回転操作可能なカム筒と、
前記カム溝に係合するカムフォロアを有し、前記カム筒の回転によって、直進する直進群と、を備え、
前記直進群は、
前記カム筒に対して直進する第１直進筒と、
前記第１直進筒の外径側に配置され、前記第１直進筒に対して回転可能な回転筒と、
前記第１直進筒と前記回転筒との間に配置され、前記回転筒の回転によって、前記回転筒及び前記第１直進筒に対して直進するレンズ保持筒と、
前記第１直進筒の外径側及び前記回転筒の内径側に設けられ、前記回転筒の前記第１直進筒に対する回転を検出する回転検出部と、
前記直進群の外径側に配置され、前記回転検出部を覆うカバー筒と、
を備えたこと、
を特徴とするレンズ鏡筒。
【請求項２】
請求項１に記載のレンズ鏡筒であって、
前記レンズ保持筒は、フォーカスレンズを保持すること、
を特徴とするレンズ鏡筒。
【請求項３】
請求項１または２に記載のレンズ鏡筒であって、
前記回転筒は、前記第１直進筒に対して光軸方向に一体となって移動すること、
を特徴とするレンズ鏡筒。
【請求項４】
請求項１から３のいずれか１項に記載のレンズ鏡筒であって、
前記回転検出部は、
前記第１直進筒の外径側または前記回転筒の内径側の一方にエンコーダパターンが形成されたフレキシブルプリント基板が配置され、
前記第１直進筒の外径側または前記回転筒の内径側の他方にパターン検出用ブラシが配置されていること、
を特徴とするレンズ鏡筒。
【請求項５】
請求項１から４のいずれか１項に記載のレンズ鏡筒を備える光学機器。
【発明の詳細な説明】
【技術分野】
【０００１】
本発明は、レンズ鏡筒および光学機器に関するものである。
【背景技術】
【０００２】
従来、互いに径が異なる複数の筒部材を備えるレンズ鏡筒がある（特許文献１参照）。このようなレンズ鏡筒は、非撮影時においては複数の筒部材が重なり、レンズ鏡筒全体としての長さが短くなる。そして、撮影時においては、内径側の筒部材がその外径側の筒部材よりも被写体側に繰出してレンズ鏡筒の長さが長くなる。
【先行技術文献】
【特許文献】
【０００３】
特開２０１０−１５１９５７号公報
【発明の概要】
【発明が解決しようとする課題】
【０００４】
しかし、このようなレンズ鏡筒において、内径側の筒部材に、エンコーダの部品等が配置されている場合がある。この場合、内径側の筒部材が繰出したときに、その部品が見えないように、外径側の筒部材の長さはある程度長い必要がある。したがって、短縮状態におけるレンズ鏡筒の長さを短くすることができなかった。
【０００５】
本発明の課題は、短縮状態における長さをより短くすることが可能なレンズ鏡筒および光学機器を提供することである。
【課題を解決するための手段】
【０００６】
本発明は、以下のような解決手段により前記課題を解決する。
請求項１に記載の発明は、内面にカム溝が設けられ、回転操作可能なカム筒と、
前記カム溝に係合するカムフォロアを有し、前記カム筒の回転によって、直進する直進群と、を備え、前記直進群は、前記カム筒に対して直進する第１直進筒と、前記第１直進筒の外径側に配置され、前記第１直進筒に対して回転可能な回転筒と、前記第１直進筒と前記回転筒との間に配置され、前記回転筒の回転によって、前記回転筒及び前記第１直進筒に対して直進するレンズ保持筒と、前記第１直進筒の外径側及び前記回転筒の内径側に設けられ、前記回転筒の前記第１直進筒に対する回転を検出する回転検出部と、前記直進群の外径側に配置され、前記回転検出部を覆うカバー筒と、を備えたこと、を特徴とするレンズ鏡筒である。
請求項２に記載の発明は、請求項１に記載のレンズ鏡筒であって、前記レンズ保持筒は、フォーカスレンズを保持すること、を特徴とするレンズ鏡筒である。
請求項３に記載の発明は、請求項１または２に記載のレンズ鏡筒であって、前記回転筒は、前記第１直進筒に対して光軸方向に一体となって移動すること、を特徴とするレンズ鏡筒である。
請求項４に記載の発明は、請求項１から３のいずれか１項に記載のレンズ鏡筒であって、前記回転検出部は、前記第１直進筒の外径側または前記回転筒の内径側の一方にエンコーダパターンが形成されたフレキシブルプリント基板が配置され、前記第１直進筒の外径側または前記回転筒の内径側の他方にパターン検出用ブラシが配置されていること、を特徴とするレンズ鏡筒である。
請求項５に記載の発明は請求項１から４のいずれか１項に記載のレンズ鏡筒を備える光学機器である。
なお、上記構成は、適宜改良してもよく、また、少なくとも一部を他の構成物に代替してもよい。
【発明の効果】
【０００７】
本発明によれば、短縮状態における長さをより短くすることが可能なレンズ鏡筒および光学機器を提供することができる。
【図面の簡単な説明】
【０００８】
【図１】本実施形態に係る交換式のレンズ鏡筒の断面図であり、鏡筒長が長い撮影状態を示す図である。
【図２】レンズ鏡筒の断面図であって、レンズ鏡筒が最も短縮した非撮影状態（沈筒状態）を示す図である。
【図３】カム筒の内面の展開図である。
【図４】直進群における、カバー筒を取り外した状態での側面図である。
【図５】本実施形態の比較形態を示した図であり、（ａ）は図４に対応する図であり、（ｂ）は（ａ）の状態からフォーカスリングを取り外した状態を示した図である。
【発明を実施するための形態】
【０００９】
以下、図面等を参照して、本発明の実施形態について説明する。なお、以下に示す各図には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１０】
図１は、カメラ１に着脱可能な、本実施形態に係る交換式のレンズ鏡筒２の断面図であり、鏡筒長が長い撮影状態を示す図である。
図２は、レンズ鏡筒２の断面図であって、レンズ鏡筒２が最も短縮した非撮影状態（沈筒状態）を示す図である。
【００１１】
本実施形態のレンズ鏡筒２は、Ｚプラス側から、第１群レンズＬ１，第２レンズ群Ｌ２，第３レンズ群Ｌ３、第４レンズ群Ｌ４を有する４群レンズ構成の撮影光学系を備え、第１群レンズＬ１はフォーカスレンズである。
またレンズ鏡筒２は、固定筒３、カム筒５及び直進群９を備える。
【００１２】
固定筒３は、レンズ鏡筒２のカメラ１側に配置されている。
固定筒３のカメラ１側端部には、カメラ側マウント部と結合するレンズ側マウント部４が設けられている。カメラ側マウント部とレンズ側マウント部４との結合によってレンズ鏡筒２がカメラ１に装着されると、固定筒３はカメラ１に対して固定される。
また固定筒３は、外側固定筒３１と、その外側固定筒３より内径に配置される内側固定筒３２とを備える。
【００１３】
カム筒５は、外側固定筒３の内径側から被写体側（Ｚプラス側）に延びている。
カム筒５の被写体側の外径側にはゴム筒６が取り付けられており、ゴム筒６の外径側から回転操作することにより、カム筒５を固定筒３に対して回転させることができる。
図３はカム筒５の内面の展開図である。図示するように、カム筒５の内面には、第１群カム溝５１、第３群カム溝５３、第４群カム溝５４がそれぞれ３本ずつ設けられている。
【００１４】
第４群カム溝５４には、第４レンズ群Ｌ４を保持する第４レンズ群保持枠７４に取り付けられた第４カムフォロア８４が係合する。
また、第４カムフォロア８４は、内側固定筒３２に設けられた直進溝３３にも係合し、第４レンズ群Ｌ４は、カム筒５の回転によって、光軸ＯＡに沿って直進移動する。
【００１５】
第３群カム溝５３には、第３レンズ群Ｌ３を保持する第３レンズ群保持枠７３に取り付けられた第３カムフォロア８３が係合している。
また、第３カムフォロア８３も、内側固定筒３２に設けられた直進溝３３に係合し、第３レンズ群Ｌ３は、カム筒５の回転によって、光軸ＯＡに沿って直進移動する。
なお、第２レンズ群Ｌ２は、第２レンズ群保持枠７２に保持され、第２レンズ群保持枠７２は、第３レンズ群保持枠７３に取り付けられている。このため、第２レンズ群Ｌ２及び第３レンズ群Ｌ３は一体となって直進移動する。
【００１６】
直進群９は、カム筒５と内側固定筒３２との間の被写体側に配置されている。
図４は、直進群９における、後述のカバー筒１６を取り外した状態での側面図である。図示するように直進群９は、１群移動筒（第１直進筒）１１と、フォーカスリング（回転筒）１２と、フォーカス移動筒（第２直進筒）１３とを備える。
【００１７】
１群移動筒１１は、直進群９における最も内径側に配置されている。内周の被写体側先端に直進溝１１１が設けられている。
また、１群移動筒１１は、内側固定筒３に設けられた直進溝３３にも係合している。
【００１８】
フォーカスリング１２は、１群移動筒１１の外径側に配置され、１群移動筒１１に対して回転可能且つ１群移動筒１１とともに直進する。すなわち、フォーカスリング１２は１群移動筒１１に対して、光軸方向への相対移動はしないが回転移動はする。
また、フォーカスリング１２の内面には、ヘリコイド溝１２１が設けられている。
【００１９】
フォーカス移動筒１３は、１群移動筒１１とフォーカスリング１２との間に配置され、外面にヘリコイドねじ１３１が設けられている。また、内径側には、１群移動筒１１の直進溝１１１に沿って直進移動する突部１３２が設けられている。
そして、フォーカスリング１２を回転させることにより、ヘリコイド溝１２１に沿ってヘリコイドねじ１３１が移動し、フォーカスリング１２及び１群移動筒１１に対してフォーカス移動筒１３が直進する。
【００２０】
図４に示すように、１群移動筒１１の外径側には、エンコーダパターン（図示せず)が形成されたフレキシブルプリント基板（回転検出部）（以下、ＦＰＣ１４という）が貼着されている。
【００２１】
一方、フォーカスリング１２には、ブラシ１５（回転検出部）が取り付けられている。
フォーカスリング１２が１群移動筒１１に対して回転すると、ブラシ１５はＦＰＣ１４上を移動し、ブラシ１５のＦＰＣ１４上のエンコーダパターンの位置に対応した電気的な信号が生成され、フォーカスリング１２の回転量が検知される。このフォーカスリング１２の回転量に基づいて、フォーカス移動筒１３の直進移動量が求まり、第１群レンズＬ１の位置を検出することができる。
【００２２】
直進群９の外径側には、カバー筒１６が取り付けられている。このカバー筒１６は、図１及び２に示すように、ブラシ１５及びＦＰＣ１４の外径側を覆っている。また、カバー筒１６のカメラ１側の端部（Ｚマイナス側端部）カムフォロア８２が設けられている。カムフォロア８２は、第１群カム溝５１に係合している。
【００２３】
次に、動作について説明する。
まず、図２における縮筒状態においてカメラ１の撮影者がカム筒５を回転させると、カム筒５の内面に設けられた第３群カム溝５３及び第４カム溝５４に沿ってカムフォロア８３，８４が移動する。この際、カムフォロア８３，８４は直進ガイド３３に沿ってスライドするので、撮影光学系の第２〜第４レンズ群Ｌ２〜Ｌ４は光軸ＯＡ方向に移動する。また、第１群カム溝５１に沿ってカムフォロア８２も移動し、直進群９も光軸ＯＡに沿って移動する。
【００２４】
この際、第１レンズ群Ｌ１を保持する直進群９が繰り出すと、図１に示すようにフォーカスリング１２のブラシ１５及びＦＰＣ１４の部分が、カム筒５と重なっている部分からわずかに前に出る。
しかし、本実施形態によると、直進群９が繰り出してもブラシ１５及びＦＰＣ１４部分の外径側にはカバー筒１６が配置されているので、ブラシ１５及びＦＰＣ１４部分が露出することがない。
したがって、レンズ鏡筒２が繰出した状態となっても、外環が損なわれることがない。そして、直進群９が繰り出してもブラシ１５部分の外径側にはカバー筒１６が配置されているので、ごみ等がブラシ１５に入り込むことがなく、誤検出等が防止される。さらに、ブラシ１５部分が露出することによって他部材と接触等して破損する危険性も低減する。
【００２５】
また、本実施形態の効果を別の観点で述べると、カバー筒１６が配置されているので、直進群９が繰り出したときにブラシ１５が露出しないようにカム筒５を長くする必要がない。そして、カム筒５が短いので、短縮したときにレンズ鏡筒２の全長を短くすることが可能となる。
【００２６】
さらに、本実施形態は、上述のように１群移動筒１１とフォーカスリング１２とが相対的光軸方向に移動しないので、ＦＰＣ１４は１群移動筒１１の円周に沿って、光軸方向の一定の位置に配置されている。
図５は本実施形態の比較形態を示した図であり、フォーカスリング１２ａが１群移動筒１１ａに対して回転し且つ光軸方向にも移動する形態である。図５（ａ）は本実施形態の図４に対応する図であり、図５（ｂ）は（ａ）の状態からフォーカスリング１２ａを取り外した状態を示した図である。
【００２７】
図５の比較形態で示すように、フォーカスリング１２ａが１群移動筒１１ａに対して回転し且つ光軸方向にも移動する場合、ＦＰＣ１４ａは、１群移動筒１１の外周において螺旋状に配置する必要がある。この場合、ＦＰＣ１４ａが光軸方向に占める範囲が長くなる。
しかし、本実施形態では、フォーカスリング１２ａが１群移動筒１１ａに対して回転するが、光軸方向には移動しないので、ＦＰＣ１４ａを螺旋状にする必要がなく、１群移動筒１１ａを長くする必要がない。したがって、１群移動筒１１ａの長さを短縮することが可能で、全体としてレンズ鏡筒２の短縮化を図ることができる。
【符号の説明】
【００２８】
１：カメラ、２：レンズ鏡筒、３：固定筒、４：レンズ側マウント部、５：カム筒、６：ゴム筒、９：直進群、１１：１群移動筒、１２：フォーカスリング、１３：フォーカス移動筒、１４：ＦＰＣ（回転検出部）、１５：ブラシ（回転検出部）、１６：カバー筒、３１：外側固定筒、３２：内側固定筒、３３：直進溝、５１：カム溝、８１：カムフォロア、８２：カムフォロア、８３：カムフォロア、１１１：直進溝、１２１：ヘリコイド溝、１３１：ヘリコイドねじ
【図１】
2015072420.tif 000003
【図２】
2015072420.tif 000004
【図３】
2015072420.tif 000005
【図４】
2015072420.tif 000006
【図５】
2015072420.tif 000007